(57)【要約】　　　（修正有）【課題】機内の回動扇が冷温送風をするとともに、マイナスイオン及び清潔送風の機能もついた貯水放流式涼風扇を提供する。【解決手段】本体が中空枠体であり、背面にフィルターと排水口を設け、前面に空気吹出口とマイナスイオン生成口を設け、本体内に送風ファンを取付け、且つ送風ファンの後方に布カーテンを上部から下部まで張り付け、その布カーテンの下部に貯水タンクを設け、上端の注水槽から注水パイプを通し、貯水タンクの片側に給水ポンプを取り付けた給水パイプを設け、布カーテンの上部を放水ノズルに取り付けて給水パイプを接続し、貯水タンクの水を給水ポンプで汲み上げ、放水ノズルから水が放流し、水は布カーテンを流れ落ちて貯水タンクに貯水され、作動によって水の放流循環が行われる。【選択図】　図３
2004085164.tif 000002
【特許請求の範囲】
【請求項１】
本体が中空枠体であり、背面にフィルターと排水口を設け、前面に空気吹出口とマイナスイオン生成口、そして水位目盛と操作パネルを設け、上面には本体内の上端に設置となる注水槽と注水口蓋を設け、本体内の空気吹出口の近傍にマイナスイオン生成器及び駆動装置と一体型の送風ファンを取付け、且つ送風ファンの後方に布カーテンを上部から下部まで張り付け、その布カーテンの下部に貯水タンクを設け、上端の注水槽から注水パイプを通し、貯水タンクの片側に給水ポンプを取り付けた給水パイプを設け、布カーテンの上部を放水ノズルに取り付けて給水パイプを接続し、貯水タンクの水を給水ポンプで汲み上げ、放水ノズルから水が放流し、水は布カーテンを流れ落ちて貯水タンクに貯水され、作動によって水の放流循環が行われることを特徴とする貯水放流式涼風扇。
【請求項２】
前記本体の内部に設けた布カーテンと後部のフィルターとの間に、円形殺菌灯を設けた請求項１記載の貯水放流式涼風扇。
【発明の詳細な説明】
【０００１】
【発明の属する技術分野】
本発明は、水量による気化熱の低温作用と、マイナスイオン効果が得られる貯水放流式涼風扇に関する。
【０００２】
【従来の技術】
従来、冷風扇においては、吸収性の優れた不織布をリング状にした吸水フィルターを、機内で回転させて貯水槽内に吸水フィルターの一辺を着水させ、吸水した吸水フィルターの回転で空気での水分蒸発による気化熱を利用し、送風を行い低温効果を得るものであった。
【０００３】
【発明が解決しようとする課題】
従来の冷風扇においては、リング状となる不織布の吸水フィルターの一辺が、貯水槽内に着水し、吸水フィルターを回動させ、水分を含んだ吸水フィルターから蒸発による気化熱を利用して、機内の回動扇が冷送風を行うものであったが、不織布の吸水フィルターの吸水蒸発では冷温効果が少なく、暑い室内では冷温効果が無い問題があった。
【０００４】
本発明は、機内に布カーテンを設け、その布カーテンの上部に注水槽と、下部に貯水タンクを設け、貯水タンクの水を給水ポンプで注水槽に汲み上げて循環するようにして、注水槽から布カーテンに水を放流し、布カーテンが多く水を吸収して、水分蒸発が多くなる気化熱低温作用となり、機内の回動扇が冷温送風をするとともに、マイナスイオンの機能もついた貯水放流式涼風扇の提供を目的とするものである。
【０００５】
【課題を解決するための手段】
前記の課題を達成するため、本体が中空枠体であり、背面にフィルターと排水口を設け、前面に空気吹出口とマイナスイオン生成口、そして水位目盛と操作パネルを設け、上面には本体内の上端に設置となる注水槽と注水口蓋を設け、本体内の空気吹出口の近傍にマイナスイオン生成器及び駆動装置と一体型の送風ファンを取付け、且つ送風ファンの後方に布カーテンを上部から下部まで張り付け、その布カーテンの下部に貯水タンクを設け、上端の注水槽から注水パイプを通し、貯水タンクの片側に給水ポンプを取り付けた給水パイプを設け、布カーテンの上部を放水ノズルに取り付けて給水パイプを接続し、貯水タンクの水を給水ポンプで汲み上げ、放水ノズルから水が放流し、水は布カーテンを流れ落ちて貯水タンクに貯水され、作動によって水の放流循環が行われる手段を講じている。
【０００６】
また、本体の内部に設けた布カーテンと後部のフィルターとの間に、円形殺菌灯を設けることが好ましい。
【０００７】
【発明の実施の形態】
発明の実施の形態を実施例にもとづき図面を参照して説明する。
図１〜図４で示す実施例では、本体１が中空枠体であり、背面にフィルター２と排水口３を設け、前面に空気吹出口４とマイナスイオン生成口５、そして水位目盛６と操作パネル７を設け、上面には本体１内部の上端に設置となる注水槽８と注水口蓋９を設け、本体１内部の空気吹出口４の近傍にマイナスイオン生成器１０及び駆動装置１１と一体型の送風ファン１２を取付け、且つ送風ファン１２の後方に布カーテン１３を上部から下部まで張り付け、その布カーテン１３の下部に貯水タンク１４を設け、上端の注水槽８から注水パイプ１５を通し、貯水タンク１４の片側に給水ポンプ１６を取り付けた給水パイプ１７を設け、布カーテン１３の上部に放水ノズル１８を取り付けて給水パイプ１７を接続し、貯水タンク１４の水を給水ポンプ１６で汲み上げ、放水ノズル１８から水が放流し、水は布カーテン１３を流れ落ちて貯水タンク１４に貯水され、作動によって水の放流循環が行われる。
【０００８】
また、図３〜図４で示す実施例では、本体１の内部に設けた布カーテン１３と後部のフィルター２との間に、円形殺菌灯１９を設けている。
【０００９】
前記のような構成により、貯水タンク１４の水を給水ポンプ１６で汲み上げ、布カーテン１３の上部から水を放流し、放流した水が布カーテン１３を伝わり貯水タンク１４に貯水され水の循環となり、布カーテンが多く水を吸収して、水分蒸発が多くなる気化熱低温作用となり、送風ファン１２から冷風を放出されるとともに、マイナスイオン生成器１０から生成されたマイナスイオンがマイナスイオン生成口５から放出される。
また、布カーテン１３と、その後部となるフィルター２との間に、円形殺菌灯１９を取り付けることで、布カーテン１３に照射し、本体１の内部の湿気によるカビや臭いを殺菌する。
【００１０】
【発明の効果】
本発明の貯水放流式涼風扇において、従来の吸水フィルターの着水浸透式から、布カーテン１３を用いて貯水放流式に改良されたので、多く水を吸収して水分蒸発が多く気化熱低温作用効果となり、送風ファン１２から放出される冷風効果が高まり、同時にマイナスイオンの放出を得ることができるものである。
【００１１】
また、布カーテン１３と、その後部となるフィルター２との間に、円形殺菌灯１９を取り付けて、布カーテン１３に照射し、本体１の内部の湿気によるカビや臭いを殺菌し、清潔な冷風を放出できるものである。
【図面の簡単な説明】
【図１】本発明の実施例を示す前部の斜視図である。
【図２】本発明の実施例を示す背部の斜視図である。
【図３】本発明の実施例の要部示す断面図である。
【図４】本発明の実施例の要部示す上部からの平面図である。
【符号の説明】
１　本体
２　フィルター
３　排水口
４　空気吹出口
５　マイナスイオン生成口
６　水位目盛
７　操作パネル
８　注水槽
９　注水口蓋
１０　マイナスイオン生成器
１１　駆動装置
１２　送風ファン
１３　布カーテン
１４　貯水タンク
１５　注水パイプ
１６　給水ポンプ
１７　給水パイプ
１８　放水ノズル
１９　円形殺菌灯
【図１】
2004085164.tif 000003
【図２】
2004085164.tif 000004
【図３】
2004085164.tif 000005
【図４】
2004085164.tif 000006